(57)【要約】      （修正有）【課題】書籍背表紙画像データベースを用いて、書籍在庫確認を行う際に、データベースに登録されていない書籍背表紙画像があった際に、作業者が効率よく当該書籍を特定するとともに、データベースの更新をできる書籍の在庫確認システムを提供する。【解決手段】データベースに登録されていない書籍背表紙画像があった際に、該書籍背表紙画像及び該書籍が陳列されている書棚画像を表示画面に並べて、当該書籍背表紙画像を他の書籍背表紙画像と識別可能な形態で前記書棚画像を表示するとともに、当該書籍の書籍特定情報を書籍特定情報入力手段により取得することを促す情報を発する。【選択図】図３
2015032137.tif 000002
【特許請求の範囲】
【請求項１】
書棚に陳列された書籍の背表紙画像を撮影する撮影手段、
前記撮影手段により撮影された画像から書籍１冊の背表紙画像を切り出す書籍背表紙画像切り出し手段、
前記書籍背表紙画像切り出し手段に切り出された書籍１冊の背表紙画像をコード化する書籍背表紙画像コード化手段、
書籍画像コード化情報と書籍特定情報を対応づけて格納した書籍背表紙画像データベース、
前記書籍背表紙画像コード化手段によりコード化された書籍画像コード化情報と前記データベースに格納されている書籍画像コード化情報を比較する照合手段、
表示装置、
前記照合手段の照合結果に基づき、前記表示装置の表示内容を制御する制御手段、
前記制御手段に接続された書籍特定情報入力手段
を備え、
前記制御手段は、
前記照合手段が、前記書籍背表紙画像コード化手段によりコード化された書籍画像コード化情報と一致する書籍画像コード化情報が前記データベースにあると判断すれば、該書籍画像コード化情報と対応づけて格納されている前記書籍特定情報を、前記書籍背表紙画像切り出し手段により切り出された書籍背表紙画像又は書籍背表紙画像コード化手段によりコード化された書籍画像コード化情報と対応付け、
前記照合手段が、前記書籍背表紙画像コード化手段によりコード化された書籍画像コード化情報と一致する書籍画像コード化情報が前記データベースにないと判断すれば、そのように判断された書籍背表紙画像及び該書籍が陳列されている書棚画像を前記表示装置の表示画面に並べて、かつ、一致する書籍画像コード化情報がないと判断された書籍背表紙画像を他の書籍背表紙画像と識別可能な形態で前記書棚画像を表示するとともに、一致する書籍画像コード化情報がないと判断された書籍画像コード化情報を有する書籍の書籍特定情報を前記書籍特定情報入力手段により取得することを促す情報を前記表示装置が発するように制御する、
ことを特徴とする書籍の在庫確認システム。
【請求項２】
前記制御手段は、前記データベースと接続されており、前記照合手段が一致する書籍画像コード化情報がないと判断し、前記書籍特定情報入力手段により書籍特定情報が取得された場合に、一致する書籍画像コード化情報がないと判断された書籍画像コード化情報と書籍特定情報入力手段により取得された書籍特定情報を対応づけて前記データベースに追加して格納することを特徴とする請求項１記載の書籍の在庫確認システム。
【請求項３】
前記表示装置の表示画面に表示される書棚画像は、前記書籍背表紙画像切り出し手段によって切り出された書籍背表紙画像を書棚に陳列された順に合成したものであることを特徴とする請求項１又は請求項２記載の書籍の在庫確認システム。
【請求項４】
前記表示装置は腕時計型のウェアラブルコンピュータであり、前記制御手段は、一致する書籍画像コード化情報がないと判断された書籍背表紙画像を、前記表示装置を腕にはめた際に腕方向と書籍高さ方向が一致し、書籍上部が手先側になるように、前記表示装置に表示させることを特徴とする請求項１乃至請求項３の何れか１項に記載の書籍の在庫確認システム。
【請求項５】
前記データベースは書籍画像コード化情報と書籍特定情報に加えて書籍背表紙画像をも対応づけて格納しており、
前記制御手段は、前記データベースと接続され、
前記照合手段が前記データベースに前記書籍背表紙画像コード化手段によりコード化された書籍画像コード化情報と一致する書籍画像コード化情報があると判断した場合には、該書籍画像コード情報と対応づけて前記データベースに格納されている書籍背表紙画像を、前記書籍背表紙画像切り出し手段により切り出された書籍背表紙画像と並べて前記表示装置の表示画面に表示することを特徴とする請求項１乃至請求項４の何れか１項に記載の書籍の在庫確認システム。
【発明の詳細な説明】
【技術分野】
【０００１】
本発明は、書店における書籍の在庫確認システムに関する。
【背景技術】
【０００２】
毎年おびただしい数の新刊書籍が発行され、書店の書棚等に載置できる書籍数には限りがあるため、書店では書籍の入れ替えを日々に行っている。そのため、書店では定期的に、在庫確認を行う必要がある。ところで、書籍の入れ替えが日々行われることから、在庫確認のために休業するか、又は、１日の営業を終了してから在庫確認を開始し、翌日の営業開始までに完了しなければならない。
【０００３】
現在、書店の在庫確認は次のように行われることが多い。各書籍の裏表紙にはバーコードが印刷されている。そして、このバーコード読み取りデータに対応して、書籍名、出版社、価格、著者、書籍分類、発行日等を書籍毎のレコードとして格納したデータベースが作成されている。日々新刊書籍が発行されることに伴い、データベースも日々更新されなければならず、各書店が最新のデータベースを所有することは非効率であるから、複数書店と契約した機関等がデータベースの更新を行い管理している。
【０００４】
在庫確認の作業者は、書籍毎のバーコードをバーコードリーダにて読み取り、バーコードリーダと接続された記憶媒体に記憶する。すべての在庫書籍のバーコードを読み取ると、記憶媒体に記憶されたデータをデータベースに格納されたデータと照合し、書籍毎の在庫数、在庫価格総額等を取得する。上記のとおり、バーコードは書籍裏表紙に印刷されているため、作業者は書籍を１冊ずつ書棚から抜き取る必要があるため、すべての書籍のバーコードを限られた時間内で読み取るには、特に大型書店においては膨大な人員を要し、多大な経費を必要としていた。
【０００５】
上記事情のため、特許文献１に示すように、書店の在庫管理を上記データベースに書籍背表紙画像をコード化して追加するとともに、書店の書棚に載置された書籍の背表紙画像を撮影により取得し、同背表紙画像をコード化したものを、データベース上の書籍背表紙画像と照合することが提案されている。
【０００６】
しかしながら、撮影により取得した背表紙画像が上記データベースに登録されていない場合があり、そのことが在庫確認の効率化を図る上での障害となっていた。
【先行技術文献】
【特許文献】
【０００７】
【特許文献１】特開２０１２−２０８５９１号公報
【発明の概要】
【発明が解決しようとする課題】
【０００８】
本発明は、上記のような問題点を解決しようとするものであり、撮影により取得した背表紙画像が上記データベースに登録されていない場合の処理を効率化し、もって在庫書籍の確認及び管理をより迅速化することを目的とする。
【課題を解決するための手段】
【０００９】
上記課題を解決するためになされた請求項１記載の在庫管理システムは、書棚に陳列された書籍の背表紙画像を撮影する撮影手段、  前記撮影手段により撮影された画像から書籍１冊の背表紙画像を切り出す書籍背表紙画像切り出し手段、前記書籍背表紙画像切り出し手段に切り出された書籍１冊の背表紙画像をコード化する書籍背表紙画像コード化手段、書籍画像コード化情報と書籍特定情報を対応づけて格納した書籍背表紙画像データベース、前記書籍背表紙画像コード化手段によりコード化された書籍画像コード化情報と前記データベースに格納されている書籍画像コード化情報を比較する照合手段、表示装置、前記照合手段の照合結果に基づき、前記表示装置の表示内容を制御する制御手段、前記制御手段に接続された書籍特定情報入力手段を備え、前記制御手段は、前記照合手段が、前記書籍背表紙画像コード化手段によりコード化された書籍画像コード化情報と一致する書籍画像コード化情報が前記データベースにあると判断すれば、該書籍画像コード化情報と対応づけて格納されている前記書籍特定情報を、前記書籍背表紙画像切り出し手段により切り出された書籍背表紙画像又は書籍背表紙画像コード化手段によりコード化された書籍画像コード化情報と対応付け、前記照合手段が、前記書籍背表紙画像コード化手段によりコード化された書籍画像コード化情報と一致する書籍画像コード化情報が前記データベースにないと判断すれば、そのように判断された書籍背表紙画像及び該書籍が陳列されている書棚画像を前記表示装置の表示画面に並べて、かつ、一致する書籍画像コード化情報がないと判断された書籍背表紙画像を他の書籍背表紙画像と識別可能な形態で前記書棚画像を表示するとともに、一致する書籍画像コード化情報がないと判断された書籍画像コード化情報を有する書籍の書籍特定情報を前記書籍特定情報入力手段により取得することを促す情報を前記表示装置が発するように制御することを特徴とする。
【００１０】
上記課題を解決するためになされた請求項２記載の在庫管理システムは、前記制御手段は、前記データベースと接続されており、前記照合手段が一致する書籍画像コード化情報がないと判断し、前記書籍特定情報入力手段により書籍特定情報が取得された場合に、一致する書籍画像コード化情報がないと判断された書籍画像コード化情報と書籍特定情報入力手段により取得された書籍特定情報を対応づけて前記データベースに追加して格納することを特徴とする。
【００１１】
上記課題を解決するためになされた請求項３記載の在庫管理システムは、請求項１又は２記載の発明において、前記表示装置の表示画面に表示される書棚画像は、前記書籍背表紙画像切り出し手段によって切り出された書籍背表紙画像を書棚に陳列された順に合成したものであることを特徴とする。
【００１２】
上記課題を解決するためになされた請求項４記載の在庫管理システムは、請求項１ないし請求項３のいずれか１項記載の発明において、前記表示装置は腕時計型のウェアラブルコンピュータであり、前記制御手段は、一致する書籍画像コード化情報がないと判断された書籍背表紙画像を、前記表示装置を腕にはめた際に腕方向と書籍高さ方向が一致し、書籍上部が手先側になるように、前記表示装置に表示させることを特徴とする。
【００１３】
上記課題を解決するためになされた請求項５記載の在庫管理システムは、前記データベースは書籍画像コード化情報と書籍特定情報に加えて書籍背表紙画像をも対応づけて格納しており、前記制御手段は、前記データベースと接続され、前記照合手段が前記データベースに前記書籍背表紙画像コード化手段によりコード化された書籍画像コード化情報と一致する書籍画像コード化情報があると判断した場合には、該書籍画像コード情報と対応づけて前記データベースに格納されている書籍背表紙画像を、前記書籍背表紙画像切り出し手段により切り出された書籍背表紙画像と並べて前記表示装置の表示画面に表示することを特徴とする。
【発明の効果】
【００１４】
請求項１の発明によれば、前記制御手段は、前記照合手段が、前記書籍背表紙画像コード化手段によりコード化された書籍画像コード化情報と一致する書籍画像コード化情報が前記データベースにないと判断すれば、そのように判断された書籍背表紙画像及び該書籍が陳列されている書棚画像を前記表示装置の表示画面に並べて、かつ、一致する書籍画像コード化情報がないと判断された書籍背表紙画像を他の書籍背表紙画像と識別可能な形態で前記書棚画像を表示するとともに、一致する書籍画像コード化情報がないと判断された書籍画像コード化情報を有する書籍の書籍特定情報を前記書籍特定情報入力手段により取得することを促す情報を前記表示装置が発するように制御するので、一致する書籍画像コード化情報がないと判断された書籍の位置を、書棚画像から速やかに知ることができ、書棚画像と並べて表示される書籍背表紙画像と書棚に陳列されている書籍背表紙を作業者が目視確認することにより、書籍特定情報入力手段を用いて一致する書籍画像コード化情報がないと判断された書籍画像コード化情報を容易に取得することができる。
【００１５】
請求項２の発明によれば、前記制御手段は、前記データベースと接続されており、前記照合手段が一致する書籍画像コード化情報がないと判断し、前記書籍特定情報入力手段により書籍特定情報が取得された場合に、一致する書籍画像コード化情報がないと判断された書籍画像コード化情報と書籍特定情報入力手段により取得された書籍特定情報を対応づけて前記データベースに追加して格納するので、今回一致する書籍画像コード化情報がないと判断された書籍であっても、次回在庫確認を行う際には、一致する書籍画像コード化情報が発見される蓋然性が高くなる。
【００１６】
請求項３の発明によれば、前記表示装置の表示画面に表示される書棚画像は、前記書籍背表紙画像切り出し手段によって切り出された書籍背表紙画像を書棚に陳列された順に合成したものであるので、現実に書棚に陳列されている書籍背表紙の書棚奥行き方向位置がばらばらであっても、書籍背表紙の書棚奥行き方向位置を揃えた状態で表示することができ、一致する書籍画像コード化情報がないと判断された書籍の位置を一層速やかに知ることができる。また、合成の元となる書籍背表紙画像は個別の画像であるため、書棚画像を作成するに当たり、一致する書籍画像コード化情報がないと判断された書籍背表紙画像を他の書籍背表紙画像と識別可能な形態にすることが容易となる。
【００１７】
請求項４の発明によれば、前記表示装置は腕時計型のウェアラブルコンピュータであり、前記制御手段は、一致する書籍画像コード化情報がないと判断された書籍背表紙画像を、前記表示装置を腕にはめた際に腕方向と書籍高さ方向が一致し、書籍上部が手先側になるように、前記表示装置に表示させるので、一致する書籍画像コード化情報がないと判断された書籍を書棚から引き出す際に、引き出すべき書籍の背表紙と表示されている背表紙画像の方向が一致し、書籍を引き出すことが容易となり、誤った書籍を引き出すおそれが少なくなる。
【００１８】
請求項５の発明によれば、前記照合手段が前記データベースに前記書籍背表紙画像コード化手段によりコード化された書籍画像コード化情報と一致する書籍画像コード化情報があると判断した場合には、該書籍画像コード情報と対応づけて前記データベースに格納されている書籍背表紙画像を、前記書籍背表紙画像切り出し手段により切り出された書籍背表紙画像と並べて前記表示装置の表示画面に表示するので、両者を比較することにより、照合に誤りがないことを作業者が容易に確認できる。
【図面の簡単な説明】
【００１９】
【図１】本発明の全体構成を示す図。
【図２】情報処理装置の内容を示す図。
【図３】表示装置に表示される表示画面の一例を示す図。
【図４】表示装置に表示される表示画面の他の例を示す図。
【図５】確認作業及び追加入力時のフローチャート。
【発明を実施するための形態】
【００２０】
以下、本発明の実施の形態を図面に基づいて説明する。図１は、本発明の一実施形態に係る在庫確認システムの概略構成図である。図１に示すように、本発明は、書店の書棚１を撮影する撮影装置２、書店に設置され、該撮影装置と有線又は無線により接続（この実施形態では有線で接続されている。）された情報処理装置３、並びに該情報処理装置３と有線又は無線により接続（この実施形態では、いずれも無線で接続されている。）された表示装置４及びスキャナー５（書籍特定情報入力手段）により構成される。
【００２１】
本実施形態では、表示装置４での表示を行いつつ、表示装置４に表示される書棚画像４１とは別の書棚に陳列されている書籍背表紙画像の撮影を行う。作業者が、表示装置４に表示される画像の確認や、スキャナー５によるバーコード読み取り操作が撮影の障害とならないように、表示装置４に表示される書棚画像に対応する書棚と撮影される書棚は、図１に示すように水平方向にずれている。すなわち、図１において作業者が位置する書棚は、既に撮影装置２による背表紙画像取得が終了した書棚である。
【００２２】
撮影装置２は書棚１に陳列された書籍背表紙を、情報処理装置３で処理可能なデータとして取得できるものであれば任意のものでよい。本実施形態では、撮影装置２と情報処理装置３は通信可能に接続されており、撮影装置２により撮影された画像は、撮影毎に情報処理装置３に送信される。また、撮影装置２は、載置部２１に搭載され、載置部２１上を水平方向に移動可能であり、載置部２１は支柱２２に対して上下方向移動可能に取り付けられている。
【００２３】
情報処理装置３は、ＣＰＵ、ＲＯＭ、ＲＡＭ、ハードディスク並びに撮影装置２、表示装置４及びスキャナー５との通信を行うためのインターフェースを備えており、ハードディスクには、書籍画像コード化情報と書籍背表紙画像及び書籍特定情報を対応づけて格納した書籍背表紙画像データベース３１が格納されている。
【００２４】
上記データベース３１は、従来技術における、バーコード読み取りデータ（書籍特定情報）に対応して、書籍名、出版社、価格、著者、書籍分類、発行日等を書籍毎のレコードとして格納したデータベースに、書籍背表紙画像及び書籍特定情報を追加したものであってもよいし、それとは別のデータベースであってもよい。前者の場合は、価格を含む在庫書籍に関するすべてのデータを１つのデータベースから取得できる。後者の場合のデータベースは、在庫書籍の特定に特化したデータベースであり、従来のデータベースと組み合わせて用いることにより、価格を含む在庫書籍に関するすべてのデータを取得できる。
【００２５】
情報処理装置３は、撮影装置２から送信された画像から書籍１冊毎の背表紙画像を切り出し、切り出した個々の背表紙画像をコード化し、さらにコード化されたデータ（書籍画像コード化情報）をデータベース３１に格納されている書籍画像コード化情報と比較し、その結果に基づいて、表示装置に表示すべき画像等を形成し、表示装置４に送る。すなわち、本実施形態の情報処理装置３のうちデータベース３１を除く部分は、請求項における書籍背表紙画像切り出し手段、書籍背表紙画像コード化手段及び制御手段のすべてとして機能する。なお、切り出した個々の背表紙画像及びそれをコード化した書籍画像コード化情報は、情報処理装置３のＲＡＭ等に記憶しておく。
【００２６】
図３は表示装置４に表示すべき画像の一例であり、情報処理装置３は、書棚１段の画像４１と、情報処理装置３（書籍背表紙画像切り出し手段）が切り出した書籍背表紙画像４２及びデータベースから読み出された書籍背表紙画像４３を並べた画像を作成する。すなわち、制御手段が、一致する書籍画像コード化情報があると判断した場合には、ほぼ同一の書籍背表紙画像が２つ並べて表示されることになる。ここで、「ほぼ同一」としたのは、同一書籍の背表紙であっても、撮影された書籍が個体として異なること、撮影条件が異なること等の理由により、書籍画像コード化情報としては一致するものの、書籍背表紙画像そのものが完全に同一とはいえないからである。
【００２７】
書棚１段の画像４１の作成に当たっては、該書棚に陳列されている個々の書籍の背表紙画像が既に切り出されているので、これを利用する。すなわち、ＲＡＭ等に記憶されている背表紙画像から書棚１段分すべて読み出し、これらを書棚配列順に合成して表示する。なお、どの書棚の画像であるかを特定するため、書棚（より具体的には段）を特定できる情報４４を付加したものを書棚１段の画像４１として作成する。図の例では「Ｃ−３」と表示されており、これは書棚にＡ，Ｂ，Ｃ・・・とアルファベットを付し、Ｃが付された書棚の上から３番目の段であることを示す。情報４４としては、これ以外に「書棚の１段」を特定できる情報であれば、任意の情報を採用することができる。
【００２８】
本実施形態では、コード化された書籍画像コード化情報をデータベースに格納されている書籍画像コード化情報と比較した結果、一致する書籍画像コード化情報がある場合もない場合も、書棚１段の画像４１及び情報処理装置３が切り出した書籍背表紙画像４２を表示し、データベースから読み出された書籍背表紙画像４３は、一致する書籍画像コード化情報がある場合のみ表示し、ない場合には図４のように、書籍背表紙画像４３が表示されるべき箇所が空白画像となる。すなわち、一致する書籍画像コード化情報の有無に拘わらず、判定対象の書籍画像コード化情報に対応する書籍背表紙画像４２を表示するから、コード化された書籍画像コード化情報をデータベースに格納されている書籍画像コード化情報と比較する毎に、表示すべき画像は更新される。他方、表示すべき画像には書棚１段分の背表紙画像を合成したものが含まれるから、本実施形態では、書棚１段の書籍背表紙画像の切り出しがすべて終了した後で、コード化された書籍画像コード化情報をデータベース３１に格納されている書籍画像コード化情報と比較する。なお、前記空白画像は、請求項の「書籍画像コード化情報を有する書籍の書籍特定情報を前記書籍特定情報入力手段により取得することを促す情報」に該当する。
【００２９】
書棚１段の画像４１作成に当たっては、データベース３１に格納されている書籍画像コード化情報との比較を行った書籍画像コード化情報に対応する書籍背表紙画像４５は、他の背表紙画像と一見して区別できるように、赤色の枠が付加されている（図４では、太枠で表示している。）。枠の色は赤色に限られず、枠付加に代えて、矢印で該当の書籍背表紙画像を示す等、他の背表紙画像と一見して区別できる態様であれば、任意の区別態様を採用できる。なお、書棚１段の画像４１は、他の背表紙画像と一見して区別できるように表示される背表紙画像の書籍が、当該書棚のどの辺に存するかを認識できれば十分であるため、小さい画像で十分である。
【００３０】
本実施形態では、表示装置４はスピーカを備えた腕時計型のウェアラブルコンピュータであり、表示画面には図３に示すとおり、書棚１段の画像４１と、情報処理装置が切り出した書籍背表紙画像４２及びデータベースから読み出された書籍背表紙画像４３が並べて表示される。制御手段が、一致する書籍画像コード化情報があると判断した場合とないと判断した場合では、スピーカーから発せられる音声メッセージが異なる。音声メッセージとしては、例えば、一致する場合は１回のブザー音、一致しない場合は複数回のブザー音であってもよく、その他区別できる音声メッセージであれば任意のメッセージが採用できる。一致する書籍画像コード化情報がないと判断した場合に発せられる音声メッセージも、前記空白画像同様、請求項の「書籍画像コード化情報を有する書籍の書籍特定情報を前記書籍特定情報入力手段により取得することを促す情報」に該当するが、空白画像も該情報に当たるので、異なる音声メッセージは不可欠ではない。当然スピーカも不可欠ではない。
【００３１】
表示装置４の表示面はタッチパッドとなっており、図３に示すように、次ボタン４５及び前ボタン４６も表示される。１つの書籍についての書棚１段の画像４１と、２つの書籍背表紙画像４２，４３が表示されると作業者は２つの書籍背表紙画像４２，４３の一致確認を行い、一致確認がされると、作業者は次ボタン４５を押す。次ボタン４５が押されると、表示装置４はその旨を情報処理装置３に送信し、情報処理装置３は次の書籍についての書棚１段の画像４１と、２つの書籍背表紙画像４２，４３を作成し、表示装置４に送信する。次ボタン４６が押されなくとも一定時間（例えば５秒）経過すれば、情報処理装置３は次の書籍についての書棚１段の画像４１と、２つの書籍背表紙画像４２，４３を作成する。前ボタン４７は、表示画面が更新された際に、前の書籍についての確認を再度行いたい場合に押すボタンである。
【００３２】
スキャナー５について説明する。データベース３１から読み出された書籍背表紙画像４３が空白画像であること、又は一致する書籍画像コード化情報がないと判断した場合の音声メッセージがスピーカから発せられたことを確認した作業者はスキャナー５にて書籍裏表紙に印刷されているバーコードを読み取る。そのため、作業者は腕時計型のウェアラブルコンピュータを装着した側の手で、該バーコードが露出する程度に該当する書籍を引き出した状態で、他方の手でスキャナーを操作し、バーコードを読み取る。スキャナー５は情報処理装置３に接続されており、読み取ったデータは情報処理装置３に送られる。本実施形態では、表示装置４を腕にはめた際に腕方向と書籍高さ方向が一致し、書籍上部が手側になるように、書籍背表紙画像４２及び書籍背表紙画像４３を表示しているので、該当書籍を引き出す際に、陳列されている書籍と表示される書籍背表紙の方向が一致し、引き出すべき書籍の選択・確認が容易となる。
【００３３】
情報処理装置３は、書籍画像コード化情報を有する書籍の書籍特定情報を前記書籍特定情報入力手段により取得することを促す情報を送信すると、スキャナー５からバーコードデータが送られるまで、表示装置４に表示すべき画像の更新を中止する。情報処理装置３は、スキャナーから送られるバーコードデータを受信すると、該バーコードデータによって特定される書籍特定情報と情報処理装置３によってコード化された書籍画像コード化情報及び書籍背表紙画像を対応づけて、データベース３１に追加する。
【００３４】
情報処理装置３、表示装置４及びスキャナー５を用いて、照合結果の確認等を作業者が行う際に、情報処理装置３が実行する内容は図５のフローチャートに示すとおりである。ＳＴ６１で確認作業を行う書棚（正確に言うと、書棚の１つの段）を特定すると、ＳＴ６２でｎを０にセット（ｎは１つの段内での、左又は右から数えた書籍の配置順を示す番号である。）し、ＳＴ６３でｎを１インクリメントする。ＳＴ６４ではタイマをリセットし、ＳＴ６５で、ｎ番目の書籍の書籍画像コード化情報と一致する書籍画像コード化情報がデータベース３１に存するか否かを判断する。ＳＴ６５で存すると判断された場合は、ＳＴ６６で書棚１段の画像４１、２つの書籍背表紙画像４２，４３を含む表示画像を作成するとともに、ブザー音を１回鳴動させるよう表示装置４を制御する。Ｓ６７及びＳＴ６８では、所定時間Ｔ経過するか又は作業者が次ボタンを操作するまで待機し、所定時間Ｔ経過するか又は作業者が次ボタンを操作したことを確認すれば、ＳＴ６９で当該書棚のすべての書籍の確認が終了した否かを判断し、ＹＥＳであれば当該書棚の確認作業を終了し、ＮＯであればＳＴ６３に戻りｎを１インクリメントする。
【００３５】
ＳＴ６５で存しないと判断された場合には、ＳＴ７０で書棚１段の画像４１、撮影された書籍背表紙画像４２及び空白画像を含む表示画像を作成するとともに、ブザー音を繰り返し鳴動させるよう表示装置４を制御し、ＳＴ７１でスキャナー５からの読み取り信号を受信すると、ＳＴ７２でデータベース３１を更新し、ＳＴ６９に進む。
【００３６】
なお、上記フローチャートでは省略しているが、制御手段が、一致する書籍画像コード化情報があると判断した場合であっても、照合にエラーがあり、書籍背表紙画像４２と書籍背表紙画像４３が一致しない場合がある。作業者はそのエラーに気づくと、一致する書籍画像コード化情報がないと判断した場合と同様に、該当書籍の書籍特定情報をスキャナー５にて読み取り、データベース３１を更新する。
【００３７】
一致する書籍画像コード化情報がないと判断される場合の多くは、当該書籍の書籍画像コード化情報がデータベース３１に存しないのではなく、データベース３１に存する書籍画像コード化情報を取得した際の書籍と、撮影された書籍が同一書籍であっても印刷状態が異なることや、撮影条件の相違等によって、データベース３１内の書籍画像コード化情報と撮影された書籍の書籍画像コード化情報の一致度が低いためである。上記のように、バーコードデータによって特定される書籍特定情報と情報処理装置３によってコード化された書籍画像コード化情報を対応づけて、データベース３１に追加することにより、同一の書籍特定情報と複数の書籍画像コード化情報が対応づけられることになるが、次回以降の在庫確認の際には、最も一致度の高い書籍画像コード化情報がデータベース３１から選ばれるので、１対多の対応関係になっていても何の問題もなく、むしろ、一致する書籍画像コード化情報がないと判断される場合が減少し、在庫確認の効率が向上する。
【００３８】
本発明は上記実施形態に限定されるものではなく、種々の変形例も含まれる。実施形態では、撮影装置２と情報処理装置３を有線接続したが、これは無線接続でもよく、さらには接続されていなくとも良い。撮影装置２と情報処理装置３が通信可能に接続されていない場合には、撮影装置２によって撮影画像を適宜の可搬性記憶媒体に記憶し、撮影後に該可搬性記憶媒体を撮影装置２から取り出し、情報処理装置３に装着することにより、同様の処理を実行できる。
【００３９】
上記実施形態では、情報処理装置３が切り出した書籍背表紙画像４２と並べてデータベースから読み出された書籍背表紙画像４３を表示している。このようにすれば、コード化された書籍画像コード化情報をデータベースに格納されている書籍画像コード化情報と比較した結果、一致する書籍画像コード化情報があると情報処理装置が判断したことに誤りがないことを作業者が確認することができ、２つの背表紙画像が一致しないことを作業者が確認した場合には、一致する書籍画像コード化情報がないと情報処理装置３が判断した場合と同様に、スキャナーを用いて書籍特定情報を入力するとともに、データベースを更新することができる。
【００４０】
上記実施形態では、切り出された書籍背表紙画像１冊分の表示画面を情報処理装置３が作成し表示装置４に送信したが、書棚１段分の表示画面すべてを表示装置４に送信し、表示装置４において、切り出された書籍背表紙画像１冊毎の表示画面を表示してもよい。
【００４１】
上記実施形態では、情報処理装置３が書店に設置されているが、撮影装置２、表示装置４及びスキャナー５と通信可能であれば、書店外に設置してもよい。あるいは、上記実施形態では、情報処理装置３内のハードディスクにデータベース３１を格納しているが、情報処理装置３は書店内に設置し、データベース３１だけを書店外のサーバーに設置し、情報処理装置３と通信することにより、データベース３１にアクセスしてもよい。
【００４２】
上記実施形態では、情報処理装置３が切り出した書籍背表紙画像４２と並べてデータベースから読み出された書籍背表紙画像４３を表示していた。情報処理装置の照合能力が十分であれば、２つの書籍背表紙画像は必ず一致し、作業者の確認作業を要さないため、データベースから読み出される書籍背表紙画像４３の表示を省略してもよく、表示画像は図４に類似したものとなる。この場合には、データベースから読み出された書籍背表紙画像４３が空白画像であることが「書籍画像コード化情報を有する書籍の書籍特定情報を前記書籍特定情報入力手段により取得することを促す情報」に該当しなくなるため、スピーカ及び異なる音声メッセージ等、上記情報に該当するものが必要となる。さらに、データベース内の書籍背表紙画像４３の表示を省略するため、データベース３１としては、書籍特定情報と書籍画像コード化情報を対応づけて格納すれば十分であり、書籍背表紙画像を対応づけて格納しなくともよい。
【符号の説明】
【００４３】
１  書棚
２  撮影装置
３  情報処理装置
３１  データベース
４  表示装置
４１  書棚１段の画像
４２  情報処理装置が切り出した書籍背表紙画像
４３  データベースから読み出された書籍背表紙画像
５  スキャナー
【図１】
2015032137.tif 000003
【図２】
2015032137.tif 000004
【図３】
2015032137.tif 000005
【図４】
2015032137.tif 000006
【図５】
2015032137.tif 000007